(57)【要約】      （修正有）【課題】不完全燃焼を抑制し、燃焼効率を高める燃焼設備用空気吸気装置を提供する。【解決手段】燃焼設備用空気吸気装置１００は、ハウジング１０及び複数のパーティションプレート２０を有する。ハウジングは中空管状に形成され、両端には、ハウジングの軸方向に沿ってそれぞれ吸気口１１及び出気口１２が設置される。各パーティションプレートは間隔を開けてエアチャンバー２１を有し、ハウジングの軸方向に沿って、軸心に垂直にハウジング内に設置される。各パーティションプレートには少なくとも１個の気孔２４が設置され、隣り合う各パーティションプレートの気孔は互い違いに設置され、各エアチャンバーと各気孔は連通して導気通路を形成する。出気口にはエアノズル１４が接続され、エアノズルは吸気分岐管２００の入口に接続される。吸気分岐管の出口は燃焼設備の吸気口に接続する。【選択図】図３
0003223866.tif 000002
【実用新案登録請求の範囲】
【請求項１】
ハウジング及び複数のパーティションプレートを有する燃焼設備用空気吸気装置であって、
前記ハウジングは、中空管状に形成され、前記ハウジング両端には、前記ハウジングの軸方向に沿ってそれぞれ吸気口及び出気口が設置され、
各前記パーティションプレートは、間隔を開けてエアチャンバーを有し、前記ハウジングの軸方向に沿って、軸心に垂直に、前記ハウジング内に設置され、
各前記パーティションプレートには、少なくとも１個の気孔が設置され、隣り合う各前記パーティションプレートの前記気孔は、互い違いに設置され、各前記エアチャンバーと各前記気孔は連通し、導気通路を形成し、
前記出気口にはエアノズルが接続され、前記エアノズルは吸気分岐管の入口に接続され、前記吸気分岐管の出口は、燃焼設備の吸気口に接続することを特徴とする、
燃焼設備用空気吸気装置。
【請求項２】
前記ハウジングは、前記吸気口の位置にフィルターが設置されることを特徴とする、
請求項１に記載の燃焼設備用空気吸気装置。
【請求項３】
前記出気口には、エアノズルが接続されることを特徴とする、
請求項１に記載の燃焼設備用空気吸気装置。
【請求項４】
各前記パーティションプレートは、錐状を呈し、その中心から外向きに下方へと傾斜することを特徴とする、
請求項１に記載の燃焼設備用空気吸気装置。
【請求項５】
各前記パーティションプレートは、外周縁に下向きにコンベックスリングが環状に設置され、各前記コンベックスリングは、下端に外向きにフランジが環状に設置され、同時に各前記フランジの外周縁は、前記ハウジングの内壁に接触して制止されることを特徴とする、
請求項１に記載の燃焼設備用空気吸気装置。
【考案の詳細な説明】
【技術分野】
【０００１】
本考案は燃焼設備に関し、特に燃焼設備用空気吸気装置に関する。
【背景技術】
【０００２】
テクノロジーの発展と生活水準の向上に従い、燃焼設備は現代テクノロジーにおいて動力を生じるツールとなっている。
しかし、燃焼設備に動力を提供する燃料は石油を原料としているが、石油は限りある天然資源であり、いつかは枯渇してしまう。
また同時に、燃料を燃やすと排気を生じ大気汚染を招いてしまう。
環境保護の考え方が浸透し、地球上のエネルギーの欠乏が予測される事態に直面しているにもかかわらず、燃料は依然として燃焼設備の主要動力燃料である。
また、石油は一朝一夕に形成できるものではない。
よって、燃焼効率を高めることができれば、それは石油の使用期限を延ばし、燃料使用による大気汚染を軽減する最も直接的な方法である。
【０００３】
よく見られる自然吸気の燃焼設備は、燃焼室を有し、燃焼室は吸気管に接続する。
吸気管は、外部空気を導引し燃焼室に引き入れる。燃料が燃焼することにより動力が生じる。
しかし、空気と燃料との燃焼はしばしば不完全燃焼となり、燃焼効率が悪いため、多くの排気を生じる。
【考案の概要】
【考案が解決しようとする課題】
【０００４】
前記先行技術には、前述のように空気と燃料との燃焼はしばしば不完全燃焼となり、燃焼効率が悪いため、多くの排気を生じるという欠点がある。
【課題を解決するための手段】
【０００５】
本考案は、燃焼設備用空気吸気装置に関する。
【０００６】
本考案による燃焼設備用空気吸気装置は、ハウジング及び複数のパーティションプレートを有する。
ハウジングは中空管状に形成され、ハウジング両端には、ハウジングの軸方向に沿ってそれぞれ吸気口及び出気口が設置される。
各パーティションプレートは、間隔を開けてそれぞれエアチャンバーを有し、ハウジングの軸方向に沿って、軸心に垂直に、ハウジング内に設置される。
各パーティションプレートには、それぞれ少なくとも１個の気孔が設置され、隣り合う各パーティションプレートの気孔は、互い違いに設置される。各エアチャンバーと各気孔は連通し、導気通路を形成する。
【０００７】
本考案による燃焼設備用空気吸気装置は、出気口にエアノズルが接続され、エアノズルは吸気分岐管の入り口に接続され、吸気分岐管の出口は、燃焼設備の吸気口に接続する。
【図面の簡単な説明】
【０００８】
【図１】本考案による一実施形態の斜視図である。
【図２】本考案による一実施形態の分解斜視図である。
【図３】本考案による一実施形態の使用模式図であり、空気の流れる方向を示す。
【考案を実施するための形態】
【０００９】
（一実施形態）
本考案による実施形態の斜視図及び分解斜視図である図１及び図２に示す通り、燃焼設備用空気吸気装置１００は、ハウジング１０、多数のパーティションプレート２０を有する。
【００１０】
ハウジング１０は中空管状に形成され、ハウジング１０両端は、ハウジング１０の軸方向に沿って、それぞれ吸気口１１及び出気口１２が設置される。
ハウジング１０の、吸気口１１に対応する位置にフィルター１３が設置される。
出気口１２にはエアノズル１４が接続される。
【００１１】
各パーティションプレート２０は、錐状を呈し、その中心から外へ下向きに傾斜し、各パーティションプレート２０は、間隔を開けそれぞれエアチャンバー２１を有し、ハウジング１０の軸方向に沿って、軸心に垂直に、ハウジング１０内に設置される。
各パーティションプレート２０は、外周縁に下向きにコンベックスリング２２が環状に設置され、各コンベックスリング２２は、下端に外向きにフランジ２３が環状に設置される。
同時に各フランジ２３の外周縁は、ハウジング１０の内壁に接触して制止され、また各パーティションプレート２０には、少なくとも１個の気孔２４が設置される。
隣り合う各パーティションプレート２０の気孔２４は、互い違いに設置され、各エアチャンバー２１と各気孔２４は接続し、導気通路を形成する。
【００１２】
本考案による実施形態の使用模式図である図３に示す通り、燃焼設備用空気吸気装置１００は、エアノズル１４により、吸気分岐管２００が接続され、吸気分岐管２００を通して、燃焼設備の吸気口に接続される。
外部空気は吸気口１１をへてフィルター１３を通過し、空気中の異物及び浮遊粒子は除去される。
これにより、清潔な空気が吸気口１１を経てハウジング１０に進入する。
【００１３】
隣り合う各パーティションプレート２０は、各コンベックスリング２２により相互に重なるため、各パーティションプレート２０は多層構造を形成する。その中を空気が流通するとき、空気と各パーティションプレート２０は衝突する。
各フランジ２３の外周縁は、ハウジング１０の内壁に接触して制止されるため、各パーティションプレート２０は、ハウジング１０内に緊密に設置され、揺れ動くことはない。
【００１４】
各パーティションプレート２０は、間隔を開けそれぞれエアチャンバー２１を有する。
ハウジング１０は、軸方向に沿って、軸心に垂直に、ハウジング１０内に設置される。
各エアチャンバー２１と各気孔２４は接続し、導気通路を形成する。
同時に各パーティションプレート２０は、錐状を呈し、中心位置から外向きに下方へと傾斜し、これにより導気通路は連続的Ｕターン形状を呈する。
【００１５】
前述した本考案の実施形態は本考案を限定するものではなく、よって、本考案により保護される範囲は実用新案登録請求の範囲を基準とする。
【符号の説明】
【００１６】
１００  ・・・燃焼設備用空気吸気装置
１０  ・・・ハウジング
１１  ・・・吸気口
１２  ・・・出気口
１３  ・・・フィルター
１４  ・・・エアノズル
２００  ・・・吸気分岐管
２０  ・・・パーティションプレート
２１  ・・・エアチャンバー
２２  ・・・コンベックスリング
２３  ・・・フランジ
２４  ・・・気孔
【図１】
0003223866.tif 000003
【図２】
0003223866.tif 000004
【図３】
0003223866.tif 000005